(57)【要約】【課題】バスバの許容電流値を低下させることなく、小型化することができるバスバの配置構造を提供する。【解決手段】中央部に接続部３が設けられた複数のバスバ５と、この複数のバスバ５の接続部３を露出して一体成形されるハウジング７とを備えたバスバの配置構造１において、バスバ５に、両端側が近接するように折り曲げられた一対の曲げ部９，１１を設け、複数のバスバ５を、一対の曲げ部９，１１が隣り合うように並列に配置し、ハウジング７を、複数のバスバ５それぞれの一対の曲げ部９，１１を覆うように一体成形した。【選択図】図４
2014075220.tif 000002
【特許請求の範囲】
【請求項１】
中央部に接続部が設けられた複数のバスバと、この複数のバスバの前記接続部を露出して一体成形されるハウジングとを備えたバスバの配置構造であって、
前記バスバは、両端側が近接するように折り曲げられた一対の曲げ部が設けられ、前記複数のバスバは、前記一対の曲げ部が隣り合うように並列に配置され、前記ハウジングは、前記複数のバスバそれぞれの前記一対の曲げ部を覆うように一体成形されていることを特徴とするバスバの配置構造。
【請求項２】
請求項１記載のバスバの配置構造であって、
前記一対の曲げ部は、傾斜面を有して折り曲げられていることを特徴とするバスバの配置構造。
【請求項３】
請求項１又は２記載のバスバの配置構造であって、
前記接続部は、スタッドボルトが挿通される穴部で形成され、前記スタッドボルトは、前記ハウジングに一体成形されていることを特徴とするバスバの配置構造。
【発明の詳細な説明】
【技術分野】
【０００１】
本発明は、バスバの配置構造に関する。
【背景技術】
【０００２】
従来、バスバの配置構造としては、ヒューズエレメントを構成する接続部としての端子接続用ボルトが中央部に設けられたバスバと、このバスバの端子接続用ボルトを露出してインサート成形などによって一体成形されるハウジングとしての分割ボディとを備えたものが知られている（例えば、特許文献１参照）。
【０００３】
このバスバの配置構造では、バスバの端子接続用ボルトの周辺部分を外部に露出させ、バスバの両端側を覆うように分割ボディが一体成形されている。
【先行技術文献】
【特許文献】
【０００４】
【特許文献１】特開２０１０−２７７９８５号公報
【発明の概要】
【発明が解決しようとする課題】
【０００５】
ところで、上記特許文献１のようなバスバの配置構造では、バスバの両側に他のバスバが配置されていないが、バスバの両側に他のバスバを並列に配置させ、接続部の多極化を図ることがある。
【０００６】
しかしながら、単純に複数のバスバを並列に配置させてしまうと、複数のバスバの配置スペースが大きく、複数のバスバを一体成形するハウジングが大型化してしまう。
【０００７】
このため、バスバ自体のサイズを小型化して並列に配置させることが考えられるが、バスバ自体を小型化してしまうと、バスバを流れる電流の許容電流値が低下してしまい、大電流に対応することができない。
【０００８】
そこで、この発明は、バスバの許容電流値を低下させることなく、小型化することができるバスバの配置構造の提供を目的としている。
【課題を解決するための手段】
【０００９】
請求項１記載の発明は、中央部に接続部が設けられた複数のバスバと、この複数のバスバの前記接続部を露出して一体成形されるハウジングとを備えたバスバの配置構造であって、前記バスバは、両端側が近接するように折り曲げられた一対の曲げ部が設けられ、前記複数のバスバは、前記一対の曲げ部が隣り合うように並列に配置され、前記ハウジングは、前記複数のバスバそれぞれの前記一対の曲げ部を覆うように一体成形されていることを特徴とする。
【００１０】
このバスバの配置構造では、複数のバスバが一対の曲げ部が隣り合うように並列に配置されているので、並列に配置された接続部間の距離を短くして複数のバスバの配置スペースを小型化することができ、ハウジングを小型化することができる。加えて、一対の曲げ部は、バスバの両端側が近接するように折り曲げられているので、バスバの許容電流値を低下させることがない。
【００１１】
また、ハウジングは、複数のバスバそれぞれの一対の曲げ部を覆うように一体成形されているので、バスバに対するハウジングの接触面積が大きくなり、電流がバスバに流れたときに発生する熱の吸熱を促進することができる。
【００１２】
従って、このようなバスバの配置構造では、複数のバスバを用いて接続部を多極化しても、バスバの許容電流値を低下させることなく、小型化することができる。
【００１３】
請求項２記載の発明は、請求項１記載のバスバの配置構造であって、前記一対の曲げ部は、傾斜面を有して折り曲げられていることを特徴とする。
【００１４】
このバスバの配置構造では、一対の曲げ部が傾斜面を有して折り曲げられているので、バスバに掛かるハウジングの露出部から離脱する方向の荷重に対して抵抗を大きくすることができ、バスバの保持力を向上することができる。
【００１５】
請求項３記載の発明は、請求項１又は２記載のバスバの配置構造であって、前記接続部は、スタッドボルトが挿通される穴部で形成され、前記スタッドボルトは、前記ハウジングに一体成形されていることを特徴とする。
【００１６】
このバスバの配置構造では、接続部がスタッドボルトが挿通される穴部で形成され、スタッドボルトがハウジングに一体成形されているので、バスバとハウジングとスタッドボルトとを１部材で取り扱うことができ、部品点数を削減することができる。
【発明の効果】
【００１７】
本発明によれば、バスバの許容電流値を低下させることなく、小型化することができるバスバの配置構造を提供することができるという効果を奏する。
【図面の簡単な説明】
【００１８】
【図１】本発明の実施の形態に係るバスバの配置構造の斜視図である。
【図２】本発明の実施の形態に係るバスバの配置構造のバスバの拡大図である。
【図３】本発明の実施の形態に係るバスバの配置構造の複数のバスバを並列に配置したときの斜視図である。
【図４】（ａ）は本発明の実施の形態に係るバスバの配置構造の上面図である。（ｂ）は図４（ａ）のＡ−Ａ断面図である。
【図５】本発明の実施の形態に係るバスバの配置構造の拡大図である。
【発明を実施するための形態】
【００１９】
図１〜図５を用いて本発明の実施の形態に係るバスバの配置構造について説明する。
【００２０】
本実施の形態に係るバスバの配置構造１は、中央部に接続部３が設けられた複数のバスバ５と、この複数のバスバ５の接続部３を露出して一体成形されるハウジング７とを備えている。
【００２１】
そして、バスバ５は、両端側が近接するように折り曲げられた一対の曲げ部９，１１が設けられ、複数のバスバ５は、一対の曲げ部９，１１が隣り合うように並列に配置され、ハウジング７は、複数のバスバ５それぞれの一対の曲げ部９，１１を覆うように一体成形されている。
【００２２】
また、一対の曲げ部９，１１は、傾斜面を有して折り曲げられている。
【００２３】
さらに、接続部３は、スタッドボルト１３が挿通される穴部で形成され、スタッドボルト１３は、ハウジング７に一体成形されている。
【００２４】
図１〜図５に示すように、バスバ５は、導電性材料からなり、薄板状に形成されている。また、バスバ５には、ヒューズ（不図示）が一体に形成され、複数のバスバ５をヒューズなどを介して一体に形成することにより、ヒューズエレメント（不図示）が構成される。
【００２５】
このバスバ５は、中央部に穴部で形成された接続部３が設けられている。この接続部３には、スタッドボルト１３が挿通されて電気的に接続され、このスタッドボルト１３に端子などの相手接続部材（不図示）が接続され、ナットなどを締結することによってバスバ５と相手接続部材とが電気的に接続される。
【００２６】
このようなバスバ５には、両端側に所定の傾斜角をもって近接するように折り曲げられた一対の曲げ部９，１１が設けられている。この一対の曲げ部９，１１が設けられた複数（ここでは３つ）のバスバ５は、一対の曲げ部９，１１が近接して隣り合うように並列に配置されている。
【００２７】
このように複数のバスバ５を並列に配置させることにより、隣り合うバスバ５の接続部３との距離Ｌが縮小され、複数のバスバ５の配置スペースを小型化することができる。この複数のバスバ５の接続部３を外部に露出させ、それぞれの一対の曲げ部９，１１及びスタッドボルト１３の頭部を覆うようにハウジング７が一体成形される。
【００２８】
ハウジング７は、合成樹脂からなり、複数のバスバ５が並列に配置され、接続部３にスタッドボルト１３が組付けられた状態で、インサート成形などによってバスバ５及びスタッドボルト１３と一体成形される。
【００２９】
このハウジング７が複数のバスバ５と一体成形された状態では、複数のバスバ５の一対の曲げ部９，１１の傾斜面にハウジング７が密着している。このため、一対の曲げ部９，１１が設けられていないバスバよりも、バスバ５に対するハウジング７の接触面積が大きくなり、電流がバスバ５に流れたときに発生する熱の吸熱を促進することができる。
【００３０】
一方、一対の曲げ部９，１１は、傾斜面を有する所定の傾斜角をもって折り曲げられているので、図５の矢印で示すようなバスバ５に掛かるハウジング７の露出部から離脱する方向の荷重に対して抵抗が大きくなっており、バスバ５の保持力が向上されている。このため、接続部３に掛かる荷重の大きい太物端子や電線などを接続部３に接続することができる。
【００３１】
このようなバスバの配置構造１では、複数のバスバ５が一対の曲げ部９，１１が隣り合うように並列に配置されているので、並列に配置された接続部３，３間の距離Ｌを短くして複数のバスバ５の配置スペースを小型化することができ、ハウジング７を小型化することができる。加えて、一対の曲げ部９，１１は、バスバ５の両端側が近接するように折り曲げられているので、バスバ５の許容電流値を低下させることがない。
【００３２】
また、ハウジング７は、複数のバスバ５それぞれの一対の曲げ部９，１１を覆うように一体成形されているので、バスバ５に対するハウジング７の接触面積が大きくなり、電流がバスバ５に流れたときに発生する熱の吸熱を促進することができる。
【００３３】
従って、このようなバスバの配置構造１では、複数のバスバ５を用いて接続部３を多極化しても、バスバ５の許容電流値を低下させることなく、小型化することができる。
【００３４】
また、一対の曲げ部９，１１は、傾斜面を有して折り曲げられているので、バスバ５に掛かるハウジング７の露出部から離脱する方向の荷重に対して抵抗を大きくすることができ、バスバ５の保持力を向上することができる。
【００３５】
さらに、接続部３は、スタッドボルト１３が挿通される穴部で形成され、スタッドボルト１３は、ハウジング７に一体成形されているので、バスバ５とハウジング７とスタッドボルト１３とを１部材で取り扱うことができ、部品点数を削減することができる。
【００３６】
なお、本発明の実施の形態に係るバスバの配置構造では、一対の曲げ部が下向きに折り曲げられているが、これに限らず、一対の曲げ部をハウジングと一体成形可能であれば、一対の曲げ部を上向きに折り曲げてもよい。
【符号の説明】
【００３７】
１…バスバの配置構造
３…接続部
５…バスバ
７…ハウジング
９，１１…一対の曲げ部
１３…スタッドボルト
【図１】
2014075220.tif 000003
【図２】
2014075220.tif 000004
【図３】
2014075220.tif 000005
【図４】
2014075220.tif 000006
【図５】
2014075220.tif 000007